【手続補正書】
【提出日】平成22年5月14日(2010.5.14)
【手続補正１】
【補正対象書類名】明細書
【補正対象項目名】００４７
【補正方法】変更
【補正の内容】
【００４７】
まず、本発明が適用される複合機および携帯端末装置を含む情報処理システムの構成例について説明する。図１は、第１の実施の形態にかかる情報処理システムの構成を示すイメージ図である。本実施の形態にかかる情報処理システム１０は、複合機１００と、携帯端末装置２００とを備え、複合機１００と携帯端末装置２００とは、後述するように２つの通信手段によって、２点鎖線で示す通信範囲１及び破線で示す通信範囲２の範囲での通信が可能である。また、複合機１００は、ネットワーク３００に接続され、ネットワーク３００を介して他の複合機４００やファクシミリ装置、クライアント端末装置等に接続されている。この図１の例では、携帯端末装置１００において、ユーザは複合機１００に対する出力設定として、文書データ“○○○.pdf”のデータに対して、“両面”印刷の設定を“ｏｎ”、“集約”の設定を“ｏｆｆ”、“カラー”印刷の設定を“ｏｎ”にし、一方複合機１００のプリンタ機能の能力としては、“両面”印刷の設定を“ｏｎ”、“集約”の設定を“ｏｆｆ”、“カラー”印刷の設定を“ｏｆｆ”等の設定が可能であることを示している。そして、以降で説明する印刷処理によって、図1に示す文書データＰ１が、モノクロで、かつ集約されずに両面印刷された文書として出力されることを示している。
【手続補正２】
【補正対象書類名】明細書
【補正対象項目名】００４９
【補正方法】変更
【補正の内容】
【００４９】
ＮＦＣ通信部１０１は、ＮＦＣ（Near Field Communication）と呼ばれる非接触ＩＣ用無線通信規格により携帯端末装置２００と非接触で通信するものであり、具体的には、後述する携帯端末装置のＮＦＣ通信部２０１のタグからの情報を非接触で読み出す通信制御プログラムを内蔵したリーダ／ライタである。ＮＦＣ通信部１０１は、もう一つの通信手段であるブルートゥース通信部１０２と比較して近距離、すなわち通信距離が０〜１０数mmの非接触無線通信によりデータを送受信する。また、ＮＦＣ通信部１０１によるＮＦＣ規格の非接触通信では、データ転送速度（１００〜４００ｋｂｐｓ）がブルートゥース通信部１０２よるＢｌｕｅｔｏｏｔｈ（Ｒ）規格の無線通信のデータ転送速度（１〜２Ｍｂｐｓ）よりも遅いため、比較的小容量のデータの通信に用いる。なお、ＮＦＣ通信部１０１は、通信規格をＮＦＣに限る必要はなく、比較的近距離、すなわち後述するＢｌｕｅｔｏｏｔｈ規格の無線通信の通信範囲より狭い通信範囲での無線通信が可能であれば他の通信規格であってもよい。ＮＦＣ通信部１０１は、本発明にかかる第１の通信手段を構成する。
【手続補正３】
【補正対象書類名】明細書
【補正対象項目名】００５１
【補正方法】変更
【補正の内容】
【００５１】
また、通信設定情報とは、ブルートゥース通信部１０２での無線通信を行う際に必要となる情報である。このように、データの送受信が容易なＮＦＣ通信によって携帯端末装置２００と複合機１００の間でブルートゥース通信の通信設定情報を受信することにより、ユーザは複合機１００に携帯端末装置２００を近づけるだけで特別な操作をすることなく、通信相手である複合機１００を特定でき、ブルートゥース通信が可能となるため、利便性が向上する。機能設定情報とは、機能に応じた処理内容を指示する設定情報である。例えば、機能ＩＤにプリントＩＤが設定されている場合は、機能設定情報として印刷設定情報である設定ＩＤ“両面印刷”に設定値“ｏｎ”または“ｏｆｆ”、設定ＩＤ“集約”に設定値“ｏｎ”または“ｏｆｆ”等を設定する。また、機能ＩＤにスキャンＩＤが設定されている場合は、機能設定情報としてスキャン設定情報である設定ＩＤ“解像度”に設定値“３００”ｄｐｉ等を設定する。
【手続補正４】
【補正対象書類名】明細書
【補正対象項目名】００５９
【補正方法】変更
【補正の内容】
【００５９】
データ処理部１０６は、ブルートゥース通信部１０２によって受信したデータまたはブルートゥース通信部１０２によって送信するデータ等に対してＮＦＣ通信部１０１によって受信した機能ＩＤ、機能設定条件に応じた処理を行う。例えば、機能ＩＤが“プリントＩＤ”の場合は、機能設定情報に応じてデータに対して濃度や色調整等の画像処理や片面／両面印刷等のレイアウト加工等を行う。また、機能ＩＤが“スキャナＩＤ”の場合は、スキャナ部１０５から読取ったデータに対して機能設定条件に従って画像処理やレイアウト加工等を行う。
【手続補正５】
【補正対象書類名】明細書
【補正対象項目名】００６４
【補正方法】変更
【補正の内容】
【００６４】
次に、携帯端末装置２００について説明する。携帯端末装置２００は、ＮＦＣ通信部２０１と、ブルートゥース通信部２０２と、データ記憶部２０３と、操作入力部２０４と、操作表示部２０５とを備えている。なお、携帯端末装置２００は、具体的には携帯電話や、ＰＤＡ（Personal Digital Assistants）、ノートパソコン、携帯型記憶媒体等である。
【手続補正６】
【補正対象書類名】明細書
【補正対象項目名】００８６
【補正方法】削除
【補正の内容】
【手続補正７】
【補正対象書類名】明細書
【補正対象項目名】０１０６
【補正方法】変更
【補正の内容】
【０１０６】
（第２の実施の形態）
第１の実施の形態では、複合機１００が備える機能にかかわらず、携帯端末装置２００で設定された機能設定情報をそのまま複合機１００に送信し、文書データを印刷することとした。しかし、携帯端末装置２００で設定した機能設定情報が、複合機１００が対応するものでない場合も存在する。第１の実施の形態では、ユーザは、携帯端末装置２００でカラー：“ｏｎ”を設定しているが、複合機１００の機能はモノクロ印刷のみであるため、携帯端末装置２００で設定した機能設定情報と異なる設定で印刷されてしまう場合があった。さらに例えば、複合機１００の仕様等によっては、印刷エラーとなってしまう場合等がある。そこで、あらかじめ複合機の設定可能な機能設定情報を携帯端末装置に取得しておき、ユーザは取得した機能設定情報と、携帯端末装置にあらかじめ記憶された機能設定情報を見比べるなどして、複合機に設定可能な機能設定情報を複合機に送信して文書データを印刷する場合について説明する。
【手続補正８】
【補正対象書類名】明細書
【補正対象項目名】０１０７
【補正方法】変更
【補正の内容】
【０１０７】
図８は、第２の実施の形態にかかる情報処理システムの構成を示すイメージ図である。本実施の形態にかかる情報処理システム２０は、複合機１０００と、携帯端末装置２０００とを備えるが、複合機１０００と携帯端末装置２０００との通信方法や、ネットワーク３００、他の複合機４００やファクシミリ装置、クライアント端末装置等との関係は、第１の実施の形態の場合と同様であるため省略している。この図８の例では、携帯端末装置２０００において、ユーザは複合機１０００に対する出力設定として、文書データ“○○○.pdf”のデータに対して、“両面”印刷の設定を“ｏｎ”、“集約”の設定を“ｏｆｆ”、“カラー”印刷の設定を“ｏｎ”にしたものの、後述するように複合機１０００のプリンタ機能の能力値を取得して“カラー”印刷の設定が“ｏｆｆ”のみ可能であるため、“カラー”印刷の設定を“ｏｆｆ”にした後、その設定情報を送信していることを示している。そして、以降で説明する印刷処理によって、図８に示す文書データＰ１１が、モノクロで、かつ集約されずに両面印刷された文書として出力されることを示している。
【手続補正９】
【補正対象書類名】明細書
【補正対象項目名】０１０９
【補正方法】変更
【補正の内容】
【０１０９】
次に、携帯端末装置２０００について説明する。携帯端末装置２０００は、データ記憶部２０３の代わりにデータ記憶部２０３０を備える点、および複合機１０００からＮＦＣ通信部２０１を介して受信した機能設定情報と、携帯端末装置２０００が記憶する機能設定情報とから複合機１０００に設定可能な機能設定情報を生成する設定情報生成部９２０を備える点で第１の実施の形態と異なっている。以下の説明では、上述した第１の実施の形態と同一の構成要素には同一の符号を付してその説明を省略している。
【手続補正１０】
【補正対象書類名】明細書
【補正対象項目名】０１１０
【補正方法】変更
【補正の内容】
【０１１０】
データ記憶部２０３０は、複合機１０００からＮＦＣ通信部２０１を介して受信した機能設定情報と、携帯端末装置２０００が記憶する機能設定情報との両方を記憶する。それぞれの機能設定情報の内容については、第１の実施の形態と同様であるのでその説明を省略する。
【手続補正１１】
【補正対象書類名】明細書
【補正対象項目名】０１１１
【補正方法】変更
【補正の内容】
【０１１１】
設定情報生成部９２０は、データ記憶部２０３０に記憶した複合機１０００からＮＦＣ通信部２０１を介して受信した機能設定情報と、携帯端末装置２０００が記憶する機能設定情報とからユーザからの操作入力部２０４を介した入力操作（例えば、両面：“ｏｎ”、集約“ｏｆｆ”、カラー：“ｏｆｆ”等の入力操作）に応じて、複合機１０００に設定可能な範囲内での機能設定情報を生成する。
【手続補正１２】
【補正対象書類名】明細書
【補正対象項目名】０１２５
【補正方法】変更
【補正の内容】
【０１２５】
本実施の形態にかかるカーナビゲーションシステム３０は、カーナビゲーション装置３０００と、携帯端末装置４０００とを備え、カーナビゲーション装置３０００と携帯端末装置４０００とは、第１、及び第２の実施の形態と同様に２つの通信手段によって通信可能である。
【手続補正１３】
【補正対象書類名】明細書
【補正対象項目名】０１２７
【補正方法】変更
【補正の内容】
【０１２７】
この携帯端末装置４０００は、近接通信部を介して、カーナビゲーション装置３０００が設定可能な位置情報３０３０（例えば、住所、電話番号、ＧＰＳ（Global  Positioning  System）座標等）の目的地情報を、ＮＦＣ通信部を介してあらかじめ取得する。そして、ユーザは、取得した目的地情報と、データ記憶部４０３０に記憶された自宅の位置情報の目的地情報とを比較してカーナビゲーション装置３０００が設定可能な目的地情報を設定し、カーナビゲーション装置３０００にＮＦＣ通信部を介して送信する他、携帯端末装置４０００に記憶された地図情報をブルートゥース通信部を介して、カーナビゲーション装置３０００に送信する。
【手続補正１４】
【補正対象書類名】明細書
【補正対象項目名】０１２８
【補正方法】変更
【補正の内容】
【０１２８】
一方、カーナビゲーション装置３０００は、携帯端末装置４０００から送信された現在地情報と目的地情報から経路情報を、ＮＦＣ通信部を介して取得し、ブルートゥース通信部を介して地図情報を取得し、衛星測位システムを用いてカーナビゲーション装置３０００の地球上の現在位置を特定する。そして、カーナビゲーション装置３０００は、現在位置情報と経路情報と目的地情報からその目的地に至るまでの経路、渋滞情報等をカーナビゲーション装置３０００のディスプレイ（不図示）に表示する。この場合、ブルートゥース通信は上述してきたように比較的広い範囲の通信が可能であるため、例えばユーザが自動車の後部座席に座っているような場合でも通信が可能である。
【手続補正１５】
【補正対象書類名】明細書
【補正対象項目名】０１２９
【補正方法】変更
【補正の内容】
【０１２９】
尚、他の処理については、フローチャートによる説明は行わないが、上述した第１、第２の実施の形態における複合機１００、又は複合機１０００と同様に、携帯端末装置４０００が、カーナビゲーション装置３０００とＮＦＣ通信部による通信を確立し、認証ＩＤや機能ＩＤ、印刷設定情報に対応するランドマーク情報等を近接通信部によって送信し、カーナビゲーション装置３０００は、これらの認証をした後、経路検索等を行う。そして、ランドマーク情報は、ユーザが、あらかじめＮＦＣ通信部での通信によって、カーナビゲーション装置３０００で設定可能な設定情報（例えば、目的地の住所、電話番号等）を取得しておくこと等、第１または第２の実施の形態の処理手順と同様の手順で経路検索等の処理が可能である。
【手続補正１６】
【補正対象書類名】明細書
【補正対象項目名】０１３４
【補正方法】変更
【補正の内容】
【０１３４】
この携帯端末装置６０００は、近接通信部を介して、情報家電５０００が設定可能な設定値５０３０（例えば、スライドのめくり速度、音楽、効果等の設定情報）を、ＮＦＣ通信部を介してあらかじめ取得する。そして、ユーザは、取得した設定値と、データ記憶部６０３０に記憶された設定値とを比較して情報家電５０００が設定可能な設定値を設定し、情報家電５０００にＮＦＣ通信部を介して送信する他、携帯端末装置６０００に記憶された写真データを、ブルートゥース通信部を介して、情報家電５０００に送信する。
【手続補正１７】
【補正対象書類名】明細書
【補正対象項目名】０１４８
【補正方法】変更
【補正の内容】
【０１４８】
図１６は、本実施の形態にかかる情報処理システム６０の構成を示すブロック図である。本実施の形態にかかる複合機９０００は、ユーザから機能情報設定モードの入力操作を受け付ける第１操作入力部１６０３と、実体情報通信モードの入力操作を受け付ける第２操作入力部１６０４と、第１操作入力部１６０３からの入力操作に応答して携帯端末装置８０００との通信を行う第１ＮＦＣ通信部１６０１と、第２操作入力部１６０４からの入力操作に応答して携帯端末装置８０００との通信を行う第２ＮＦＣ通信部１６０２とを備える点で、第５の実施の形態における複合機と異なっている。以下の説明では、上述した第５の実施の形態と同一の構成要素には同一の符号を付してその説明を省略している。
【手続補正１８】
【補正対象書類名】明細書
【補正対象項目名】０１４９
【補正方法】変更
【補正の内容】
【０１４９】
第１操作入力部１６０３は、タッチパネル等の操作パネルから構成され、携帯端末装置８０００が、携帯端末装置８０００のＮＦＣ通信部２０１との通信を確立し、近距離、すなわち通信距離が０〜１０数mmとなった場合に、第１ＮＦＣ通信部１６０１を介して非接触により携帯端末装置８０００のＮＦＣ通信部２０１と無線通信を行う。そして携帯端末装置８０００が第１操作入力部１６０３との通信を確立した場合に、モード切替部１４７０は機能情報設定モードに切り替える。
【手続補正１９】
【補正対象書類名】明細書
【補正対象項目名】０１５０
【補正方法】変更
【補正の内容】
【０１５０】
第２操作入力部１６０４は、タッチパネル等の操作パネルから構成され、携帯端末装置８０００が、携帯端末装置８０００のＮＦＣ通信部２０１との通信を確立し、近距離、すなわち通信距離が０〜１０数mmとなった場合に、第２ＮＦＣ通信部１６０２を介して非接触により携帯端末装置８０００のＮＦＣ通信部２０１と無線通信を行う。そして携帯端末装置８０００が第１操作入力部１６０３との通信を確立した場合に、モード切替部１４７０は実体情報通信モードに切り替える。
【手続補正２０】
【補正対象書類名】明細書
【補正対象項目名】０１５４
【補正方法】変更
【補正の内容】
【０１５４】
１０  ２０  ５０  ６０  情報処理システム
３０  カーナビゲーションシステム
４０  スライドショーシステム
１００  ４００  １０００  ７０００  ９０００  複合機
２００  ２０００  ４０００  ６０００  ８０００  携帯端末装置
１０１  ＮＦＣ通信部
１０２  ブルートゥース通信部
１０３  認証部
１０４  利用可否判定部
１０５  スキャナ部
１０６  データ処理部
１０７  プリンタ部
１０８  ファクシミリ送受信部
１０９  認証データ記憶部
１１０  設定情報記憶部
２０１  ＮＦＣ通信部
２０２  ブルートゥース通信部
２０３  ２０３０  ４０３０  ６０３０  データ記憶部
２０４  １４６０  操作入力部
２０５  操作表示部
３００  ネットワーク
９１０  設定情報抽出部
９２０  設定情報生成部
１４７０  １４８０  モード切替部
１６０３  第１操作入力部
１６０４  第２操作入力部
１６０１  第１ＮＦＣ通信部
１６０２  第２ＮＦＣ通信部
５０００  情報家電
【手続補正２１】
【補正対象書類名】図面
【補正対象項目名】図２
【補正方法】変更
【補正の内容】
【図２】
2009037566.tif 000001
【手続補正２２】
【補正対象書類名】図面
【補正対象項目名】図６
【補正方法】変更
【補正の内容】
【図６】
2009037566.tif 000002
【手続補正２３】
【補正対象書類名】図面
【補正対象項目名】図１０
【補正方法】変更
【補正の内容】
【図１０】
2009037566.tif 000003
【手続補正２４】
【補正対象書類名】図面
【補正対象項目名】図１１
【補正方法】変更
【補正の内容】
【図１１】
2009037566.tif 000004
【手続補正２５】
【補正対象書類名】図面
【補正対象項目名】図１５
【補正方法】変更
【補正の内容】
【図１５】
2009037566.tif 000005
【手続補正２６】
【補正対象書類名】図面
【補正対象項目名】図１６
【補正方法】変更
【補正の内容】
【図１６】
2009037566.tif 000006